【手続補正書】
【提出日】平成25年11月18日(2013.11.18)
【手続補正１】
【補正対象書類名】特許請求の範囲
【補正対象項目名】全文
【補正方法】変更
【補正の内容】
【特許請求の範囲】
【請求項１】
化学分析装置（7）；
関心対象化学物質を吸着または脱着させるために吸収材料を加熱するように構成された温度制御要素（5、18）と吸収材料（1）とをその中に入れた、化学分析装置に連結された予備濃縮装置ハウジング（2）；および
関心対象化学物質を脱着させる前に予備濃縮装置ハウジングを排気するように構成された、予備濃縮装置ハウジングと化学分析装置とに連結されたポンプシステム（13）
を含み、
予備濃縮装置ハウジングを排気する際に、ポンプシステムが、化学分析装置の内圧に実質的に等しいレベルまで予備濃縮装置ハウジングの内圧を低減させることを特徴とする、化学分析システム。
【請求項２】
感知した温度を通信するための温度感知端子（4）を有する、予備濃縮装置ハウジング（2）の中に入っている温度センサー（3）をさらに含む、請求項1記載の化学分析システム。
【請求項３】
温度制御要素（5、18）に連結されて、温度制御要素に電流を供給するように構成された温度制御ユニット（6、19）をさらに含む、請求項1または2記載の化学分析システム。
【請求項４】
関心対象化学物質を吸着または脱着させるために吸収材料を加熱するように構成された温度制御要素（5、18）と吸収材料（1）とをその中に入れた、化学分析装置（7）に連結された予備濃縮装置ハウジング（2）、および関心対象化学物質を脱着させる前に予備濃縮装置ハウジングを排気するように構成された、予備濃縮装置ハウジングおよび化学分析装置に連結されたポンプシステム（13）を提供する段階；
予備濃縮装置ハウジング内の内圧を低減するために予備濃縮装置ハウジングを排気する段階；そして
排気された予備濃縮装置ハウジングの中に吸収材料からの関心対象化学物質を脱着させるために温度制御要素の中に電流を伝導させる段階；
を含み、
予備濃縮装置ハウジングを排気する際に、予備濃縮装置ハウジングの内圧が、化学分析装置の内圧と実質的に等しいレベルまで低減されることを特徴とする、
試料を予備濃縮する方法。
【請求項５】
温度制御要素の中に電流を伝導させる段階が、関心対象化学物質の脱着速度を増加させるために温度制御要素の温度を制御可能に増加させる段階を含む、請求項4記載の方法。
【請求項６】
予備濃縮装置ハウジングにおける温度を感知する段階をさらに含む、請求項4または5記載の方法。
【請求項７】
関心対象化学物質を吸着させるために温度制御要素の中に電流を伝導させる段階をさらに含む、請求項4〜6のいずれか1項記載の方法。
【請求項８】
予備濃縮装置ハウジングの中に入れられたチューブ状メンブレン（15）をさらに含み、
温度制御要素（18）が吸収材料（1）によってコーティングされており、該温度制御要素が、脱着段階の際に関心対象化学物質を脱着させるためにチューブ状メンブレンおよび吸収材料を加熱するように構成されており、
コーティングされた温度制御要素（18）が、本質的に同心円の様式でチューブ状メンブレン（15）の周囲を覆って注入口アセンブリ（20）を形成する、
請求項1記載の化学分析システム。
【請求項９】
吸収材料（1）が、1つより多くの吸収材料を含む、請求項8記載の化学分析システム。
【請求項１０】
吸収材料（1）が、ポリエチレンイミン（PEI）、ポリイソブチレン（PIB）、ポリエピクロロヒドリン（PECH）、カーボンブラック、活性炭、フルオロポリオール（FPOL）、マレイン酸ポリエチレン（PEM）、ポリプロピオン酸ビニル（PVPR）、カーボンナノチューブ（CNT）、フラーレン、および／またはポリビスシアノプロピル-シロキサン（SXCN）の1つまたは複数を含む、請求項8または9記載の化学分析システム。
【請求項１１】
予備濃縮装置ハウジング（2）がチューブ状メンブレン（15）を含み、温度制御要素（18）が、吸収材料（1）によってコーティングされており、かつチューブ状メンブレン（15）の周囲を本質的に同心円の様式で覆っており、
温度制御要素によってチューブ状メンブレンおよび吸収材料を伝導加熱することによって、関心対象化学物質を脱着させる段階をさらに含む、請求項4記載の方法。
【請求項１２】
脱着させる段階が、関心対象化学物質の脱着速度を制御可能に増加させるために温度制御要素の中に電流を伝導させる段階を含む、請求項11記載の方法。
【請求項１３】
予備濃縮装置ハウジングにおいて温度を感知する段階をさらに含む、請求項11または12記載の方法。
【請求項１４】
関心対象化学物質が、第一の関心対象化学物質であり、脱着させる段階が、第二の関心対象化学物質を脱着させる段階を含む、請求項11〜13のいずれか1項記載の方法。
【請求項１５】
第二の関心対象化学物質を脱着させる段階が、温度制御要素の温度を増加させる段階を含む、請求項14記載の方法。
【請求項１６】
予備濃縮装置ハウジングの中に入れられたメンブレン（15）をさらに含み、
温度制御要素が、メンブレンを横切る拡散速度を制御するように構成されており、該温度制御要素が、関心対象化学物質を脱着させるためにメンブレンを加熱するように構成されており、
メンブレンが温度制御要素の温度設定に基づいて吸収モードおよび脱着／半透過性モードで操作可能である、
請求項1記載の化学分析システム。
【請求項１７】
温度制御要素（18）がメンブレン（15）の周囲を本質的に同心円様式で覆って、注入口アセンブリ（20）を形成する、請求項16記載の化学分析システム。
【請求項１８】
メンブレンがチューブ状形状で形成された、請求項16または17記載の化学分析システム。
【請求項１９】
感知された温度を通信するために温度感知端子（4）を有する、予備濃縮装置ハウジング（2）の中に入れられた温度センサー（3）をさらに含む、請求項16〜18のいずれか1項記載の化学分析システム。
【請求項２０】
温度制御要素（18）に連結されて、温度制御要素に電流を供給するように構成された、温度制御ユニット（19）をさらに含む、請求項16〜19のいずれか1項記載の化学分析システム。
【請求項２１】
メンブレンを横切る拡散速度が、温度増加にともなって増加し、温度制御要素が、関心対象化学物質を脱着させるためにメンブレンを加熱するように構成されており、
メンブレンを吸収モードから脱着／半透過性モードに移行させるように温度制御要素の温度設定を調整する段階をさらに含む、請求項4記載の方法。
【請求項２２】
関心対象化学物質の脱着速度を増加させるために温度制御要素の温度設定を再調整する段階をさらに含む、請求項21記載の方法。
【請求項２３】
予備濃縮装置ハウジングにおける温度を感知する段階をさらに含む、請求項21または22記載の方法。
【請求項２４】
関心対象化学物質が第一の関心対象化学物質であり、方法が、第二の関心対象化学物質の脱着速度を増加させるために温度制御要素を再調整する段階をさらに含む、請求項21〜23のいずれか1項記載の方法。
【手続補正２】
【補正対象書類名】明細書
【補正対象項目名】００２８
【補正方法】変更
【補正の内容】
【００２８】
[本発明1001]
化学分析装置（7）；
関心対象化学物質を吸着または脱着させるために吸収材料を加熱するように構成された温度制御要素（5、18）と吸収材料（1）とをその中に入れた、化学分析装置に連結された予備濃縮装置ハウジング（2）；および
関心対象化学物質を脱着させる前に予備濃縮装置ハウジングを排気するように構成された、予備濃縮装置ハウジングと化学分析装置とに連結されたポンプシステム（13）
を含み、
予備濃縮装置ハウジングを排気する際に、ポンプシステムが、化学分析装置の内圧に実質的に等しいレベルまで予備濃縮装置ハウジングの内圧を低減させる、化学分析システム。
[本発明1002]
感知した温度を通信するための温度感知端子（4）を有する、予備濃縮装置ハウジング（2）の中に入っている温度センサー（3）をさらに含む、本発明1001の化学分析システム。
[本発明1003]
温度制御要素（5、18）に連結されて、温度制御要素に電流を供給するように構成された温度制御ユニット（6、19）をさらに含む、本発明1001または1002の化学分析システム。
[本発明1004]
関心対象化学物質を吸着または脱着させるために吸収材料を加熱するように構成された温度制御要素（5、18）と吸収材料（1）とをその中に入れた、化学分析装置（7）に連結された予備濃縮装置ハウジング（2）、および関心対象化学物質を脱着させる前に予備濃縮装置ハウジングを排気するように構成された、予備濃縮装置ハウジングおよび化学分析装置に連結されたポンプシステム（13）を提供する段階；
予備濃縮装置ハウジング内の内圧を低減するために予備濃縮装置ハウジングを排気する段階；そして
排気された予備濃縮装置ハウジングの中に吸収材料からの関心対象化学物質を脱着させるために温度制御要素の中に電流を伝導させる段階；
を含み、
予備濃縮装置ハウジングを排気する際に、予備濃縮装置ハウジングの内圧が、化学分析装置の内圧と実質的に等しいレベルまで低減される、
試料を予備濃縮する方法。
[本発明1005]
温度制御要素の中に電流を伝導させる段階が、関心対象化学物質の脱着速度を増加させるために温度制御要素の温度を制御可能に増加させる段階を含む、本発明1004の方法。
[本発明1006]
予備濃縮装置ハウジングにおける温度を感知する段階をさらに含む、本発明1004または1005の方法。
[本発明1007]
関心対象化学物質を吸着させるために温度制御要素の中に電流を伝導させる段階をさらに含む、本発明1004〜1006のいずれかの方法。
[本発明1008]
化学分析装置（7）；
該化学分析装置に連結され、チューブ状メンブレン（15）と、吸収材料（1）によって少なくとも部分的にコーティングされた温度制御要素（18）とをその中に入れた、予備濃縮装置ハウジング（2）であって、該温度制御要素が、脱着段階の際に関心対象化学物質を脱着させるためにチューブ状メンブレンおよび吸収材料を加熱するように構成されている、予備濃縮装置ハウジング（2）；ならびに
脱着段階の前に予備濃縮装置ハウジングを排気するように構成された、予備濃縮装置ハウジングと化学分析装置とに連結されたポンプシステム（13）；
を含み、
コーティングされた温度制御要素（18）が、本質的に同心円の様式でチューブ状メンブレン（15）の周囲を覆って注入口アセンブリ（20）を形成する、
化学物質予備濃縮システム。
[本発明1009]
吸収材料（1）が、1つより多くの吸収材料を含む、本発明1008の化学物質予備濃縮システム。
[本発明1010]
吸収材料（1）が、ポリエチレンイミン（PEI）、ポリイソブチレン（PIB）、ポリエピクロロヒドリン（PECH）、カーボンブラック、活性炭、フルオロポリオール（FPOL）、マレイン酸ポリエチレン（PEM）、ポリプロピオン酸ビニル（PVPR）、カーボンナノチューブ（CNT）、フラーレン、および／またはポリビスシアノプロピル-シロキサン（SXCN）の1つまたは複数を含む、本発明1008または1009の化学物質予備濃縮システム。
[本発明1011]
チューブ状メンブレン（15）と、チューブ状メンブレン（15）の周囲を本質的に同心円の様式で覆う、吸収材料（1）によって少なくとも部分的にコーティングされた温度制御要素（18）とをその中に入れた、化学分析装置（7）に連結された予備濃縮装置ハウジング（2）、ならびに予備濃縮装置ハウジングおよび化学分析装置に連結されたポンプシステム（13）を提供する段階；
予備濃縮装置ハウジング内の内圧を低減させるために、予備濃縮装置ハウジングをポンプシステムによって排気する段階；そして
温度制御要素によってチューブ状メンブレンおよび吸収材料を伝導加熱することによって、関心対象化学物質を脱着させる段階、
を含む、試料を予備濃縮する方法。
[本発明1012]
脱着させる段階が、関心対象化学物質の脱着速度を制御可能に増加させるために温度制御要素の中に電流を伝導させる段階を含む、本発明1011の方法。
[本発明1013]
予備濃縮装置ハウジングにおいて温度を感知する段階をさらに含む、本発明1011または1012の方法。
[本発明1014]
関心対象化学物質が、第一の関心対象化学物質であり、脱着させる段階が、第二の関心対象化学物質を脱着させる段階を含む、本発明1011〜1013のいずれかの方法。
[本発明1015]
第二の関心対象化学物質を脱着させる段階が、温度制御要素の温度を増加させる段階を含む、本発明1014のいずれかの方法。
[本発明1016]
化学分析装置（7）；
関心対象化学物質を脱着させるためにメンブレンを加熱するように構成された温度制御要素（18）と、高温より低温でより低い拡散速度を有するメンブレン（15）とをその中に入れた、化学分析装置に連結された予備濃縮装置ハウジング（2）；および
関心対象化学物質を脱着させる前に予備濃縮装置ハウジングを排気するように構成された、予備濃縮装置ハウジングおよび化学分析装置に連結されたポンプシステム（13）
を含み、
メンブレンが温度制御要素の温度設定に基づいて吸収モードおよび脱着／半透過性モードで操作可能である、
化学分析システム。
[本発明1017]
温度制御要素（18）がメンブレン（15）の周囲を本質的に同心円様式で覆って、注入口アセンブリ（20）を形成する、本発明1016の化学分析システム。
[本発明1018]
メンブレンがチューブ状形状で形成された、本発明1016または1017の化学分析システム。
[本発明1019]
感知された温度を通信するために温度感知端子（4）を有する、予備濃縮装置ハウジング（2）の中に入れられた温度センサー（3）をさらに含む、本発明1016〜1018のいずれかの化学分析システム。
[本発明1020]
温度制御要素（18）に連結されて、温度制御要素に電流を供給するように構成された、温度制御ユニット（19）をさらに含む、本発明1016〜1019のいずれかの化学分析システム。
[本発明1021]
関心対象化学物質を脱着させるためにメンブレンを加熱するように構成された温度制御要素（18）と、高温より低温でより低い拡散速度を有するメンブレン（15）とをその中に入れた、化学分析装置（2）に連結された予備濃縮装置ハウジング（2）、および関心対象化学物質を脱着させる前に予備濃縮装置ハウジングを排気するように構成された、予備濃縮装置ハウジングおよび化学分析装置に連結されたポンプシステム（13）を提供する段階；
予備濃縮装置ハウジング内の内圧を低減させるために、予備濃縮装置ハウジングを排気する段階；そして
メンブレンを吸収モードから脱着／半透過性モードに移行させるように温度制御要素の温度設定を調整する段階、
を含む、試料を予備濃縮する方法。
[本発明1022]
関心対象化学物質の脱着速度を増加させるために温度制御要素の温度設定を再調整する段階をさらに含む、本発明1021の方法。
[本発明1023]
予備濃縮装置ハウジングにおける温度を感知する段階をさらに含む、本発明1021または1022の方法。
[本発明1024]
関心対象化学物質が第一の関心対象化学物質であり、方法が、第二の関心対象化学物質の脱着速度を増加させるために温度制御要素を再調整する段階をさらに含む、本発明1021〜1023のいずれかの方法。
本明細書において記述される内容の1つまたは複数の態様の詳細を、以下の添付の図面および説明に記述する。本内容の他の特色、局面、および長所は、説明、図面、および特許請求の範囲から明らかとなるであろう。